(57)【特許請求の範囲】
【請求項１】
撮影手段、表示手段、および入力手段を含む携帯端末と、
画像処理装置と、
前記携帯端末および前記画像処理装置と相互に通信可能なサーバーとを備え、
前記画像処理装置は、処理すべきジョブに関する情報を前記サーバーに対して送信するための送信手段を含み、
前記サーバーは、
前記画像処理装置の位置を取得し、記憶する処理と、
前記携帯端末の位置および向きを取得し、前記携帯端末の撮影範囲にある画像処理装置を特定して、特定された画像処理装置を表わす画像を表示するための情報を、前記携帯端末に対して送信する処理と、
前記特定された画像処理装置のうちの前記携帯端末において選択された画像処理装置について、当該画像処理装置が処理すべきジョブのうちの、前記携帯端末に関連付けられたユーザーに関連付けられたジョブを提示するための情報を、前記携帯端末に対して送信する処理と、
前記提示されたジョブのうちの前記携帯端末において選択されたジョブを移動対象のジョブとして、前記携帯端末の撮影範囲にある画像処理装置のうちの前記移動対象のジョブを処理可能な画像処理装置を表わす画像を表示するための情報を、前記携帯端末に対して送信する処理と、
前記移動対象のジョブを処理可能な画像処理装置のうち、前記携帯端末において選択された画像処理装置に、前記移動対象のジョブを移動させる処理とを実行し、
前記携帯端末は、前記サーバーから送信された情報に基づく画像を、前記撮影手段での撮影画像に重ねて表示する処理を行なう、画像処理システム。
【請求項２】
前記サーバーは、前記携帯端末において前記移動対象のジョブを処理可能な画像処理装置のうちの画像処理装置が選択されると、前記画像処理装置で前記移動対象のジョブを処理した場合の処理予測時間を算出して、前記処理予測時間を表示するための情報を前記携帯端末に対して送信する処理をさらに実行する、請求項１に記載の画像処理システム。
【請求項３】
前記携帯端末の前記表示手段はタッチパネルであって、
前記携帯端末においては、前記タッチパネルに表示された前記移動対象のジョブを表わす画像へのタッチを維持したまま、前記移動対象のジョブを処理可能な画像処理装置を表わす画像に対して移動させる操作によって、前記移動対象のジョブの処理を実行させる画像処理装置を選択する、請求項１または２に記載の画像処理システム。
【請求項４】
前記サーバーは、前記携帯端末の撮影範囲にある画像処理装置を表わす画像を表示するための情報を前記携帯端末に対して送信する処理において、前記携帯端末において前記移動対象のジョブが選択されている場合には、前記画像処理装置を表わす画像を表示するための情報と共に、前記移動対象のジョブを表わす画像を表示するための情報を前記携帯端末に対して送信する、請求項１〜３のいずれかに記載の画像処理システム。
【請求項５】
前記サーバーは、前記移動対象のジョブの処理が当該ジョブを保持している画像処理装置によって前記携帯端末において当該ジョブの処理をさせる画像処理装置の選択よりも以前に開始された場合に、前記移動対象のジョブを処理可能な画像処理装置を表わす画像の近傍に、当該ジョブが処理済みであることを表わす画像を表示するための情報を、前記携帯端末に対して送信する処理をさらに実行する、請求項１〜４のいずれかに記載の画像処理システム。
【請求項６】
撮影手段と表示手段と入力手段を含む携帯端末、および画像処理装置と相互に通信可能なサーバーであって、
当該サーバーに含まれる処理装置は、
前記画像処理装置の位置を取得し、記憶する処理と、
前記携帯端末の位置および向きを取得し、前記携帯端末の撮影範囲にある画像処理装置を特定して、特定された画像処理装置を表わす画像を表示するための情報を、前記携帯端末に対して送信する処理と、
前記特定された画像処理装置のうちの前記携帯端末において選択された画像処理装置について、当該画像処理装置が処理すべきジョブのうちの、前記携帯端末に関連付けられたユーザーに関連付けられたジョブを提示するための情報を、前記携帯端末に対して送信する処理と、
前記提示されたジョブのうちの前記携帯端末において選択されたジョブを移動対象のジョブとして、前記携帯端末の撮影範囲にある画像処理装置のうちの前記移動対象のジョブを処理可能な画像処理装置を表わす画像を表示するための情報を、前記携帯端末に対して送信する処理と、
前記移動対象のジョブを処理可能な画像処理装置のうち、前記携帯端末において選択された画像処理装置に、前記移動対象のジョブを移動させる処理とを実行する、サーバー。
【請求項７】
撮影手段、表示手段、および入力手段を含む携帯端末と、
画像処理装置と、
前記携帯端末および前記画像処理装置と相互に通信可能なサーバーとを含む画像処理システムの制御方法であって、
前記携帯端末の前記撮影手段で撮影を行なうステップと、
前記携帯端末の撮影時の位置および向きと、前記画像処理装置の位置とから特定される前記携帯端末の撮影範囲にある前記画像処理装置を表わす画像を表示するための情報を、前記サーバーから前記携帯端末に送信するステップと、
前記携帯端末の前記表示手段で、前記撮影を行なうステップで得られた撮影画像に前記画像処理装置を表わす画像を重ねて表示するステップと、
前記画像が表示された画像処理装置のうち前記携帯端末において選択された画像処理装置について、当該画像処理装置が処理すべきジョブのうちの、前記携帯端末に関連付けられたユーザーに関連付けられたジョブを、前記携帯端末の前記表示手段で表示するステップと、
前記表示されたジョブのうち、移動対象とするジョブの選択を前記携帯端末の前記入力手段で受け付けるステップと、
前記ジョブの選択の後に前記携帯端末の前記撮影手段で撮影を行なうステップと、
前記携帯端末の撮影範囲にある前記画像処理装置のうちの、前記携帯端末において選択された前記移動対象のジョブを処理可能な画像処理装置を表わす画像を表示するための情報を、前記サーバーから前記携帯端末に送信するステップと、
前記携帯端末の前記表示手段で、前記撮影を行なうステップで得られた撮影画像に前記移動対象のジョブを処理可能な画像処理装置を表わす画像を重ねて表示するステップと、
前記移動対象のジョブを処理可能な画像処理装置のうち、前記移動対象のジョブを処理させる画像処理装置の選択を前記携帯端末の前記入力手段で受け付けるステップと、
前記携帯端末において選択された画像処理装置に、前記移動対象のジョブを移動させるステップとを備える、制御方法。
【請求項８】
撮影手段と表示手段と入力手段を含む携帯端末、および画像処理装置と相互に通信可能なサーバーに処理を実行させるための制御プログラムであって、
前記サーバーは、前記画像処理装置の位置を取得し、記憶しており、
前記携帯端末の位置および向きを取得し、前記携帯端末の撮影範囲にある画像処理装置を特定して、特定された画像処理装置を表わす画像を表示するための情報を、前記携帯端末に対して送信するステップと、
前記特定された画像処理装置のうちの前記携帯端末において選択された画像処理装置に
ついて、当該画像処理装置が処理すべきジョブのうちの、前記携帯端末に関連付けられたユーザーに関連付けられたジョブを提示するための情報を、前記携帯端末に対して送信するステップと、
前記提示されたジョブのうちの前記携帯端末において選択されたジョブを移動対象のジョブとして、前記携帯端末の撮影範囲にある画像処理装置のうちの前記移動対象のジョブを処理可能な画像処理装置を表わす画像を表示するための情報を、前記携帯端末に対して送信するステップと、
前記移動対象のジョブを処理可能な画像処理装置のうち、前記携帯端末において選択された画像処理装置に、前記移動対象のジョブを移動させるステップとを前記サーバーに実行させる、制御プログラム。
【発明の詳細な説明】
【技術分野】
【０００１】
この発明は画像処理システム、サーバー、制御方法および制御プログラムに関し、特に、情報処理装置からのジョブをサーバーで管理して画像処理装置にて処理する画像処理システム、サーバー、制御方法および制御プログラムに関する。
【背景技術】
【０００２】
オフィス環境などにおいて、コピー機、プリンター、これらの複合機であるＭＦＰ（Multi-Functional Peripherals）等の画像形成装置を含む画像処理システムが形成されて、当該画像処理システムに、複数台の画像形成装置が含まれる場合がある。
【０００３】
このようなシステムにおいて効率的にジョブ処理を行なうための技術として、たとえば特開２０１０−２５８５１３号公報（以下、特許文献１）は、印刷速度、印刷品位、省エネ性や信頼性の評価点を画像形成装置ごとに算出しておき、評価点の高いものを表示して画像形成装置の選択を受け付けると共に、印刷ジョブの印刷完了予測時刻を表示する画像形成システムを開示している。
【０００４】
また、特開２００８−１５２７２５号公報（以下、特許文献２）は、プリントサーバーにおいてジョブの属性情報とプリンターの情報とを比較して印刷の可否を判断し、印刷操作端末においてこの判断結果に基づいてジョブ一覧画面を表示する印刷システムを開示している。
【先行技術文献】
【特許文献】
【０００５】
【特許文献１】特開２０１０−２５８５１３号公報
【特許文献２】特開２００８−１５２７２５号公報
【発明の概要】
【発明が解決しようとする課題】
【０００６】
しかしながら、これら特許文献で開示されている自動振り分けを行なうと、振り分け先の画像形成装置がユーザーの意図しないものとなる場合があり、かえって不便となる場合がある、という問題がある。たとえば、ユーザーから設置位置までの距離が遠かったり、普段使用しないものであったりする場合がある。
【０００７】
また、これら特許文献で開示されている自動振り分けは、ジョブを画像形成装置に対して発行するよりも以前に振り分ける技術であるため、いったんジョブを発行したものの、当該画像形成装置にすでに多くのジョブが待機している場合には、当該画像形成装置でジョブを処理するまでに時間がかかることになる、という問題があった。
【０００８】
本発明はこのような問題に鑑みてなされたものであって、容易な操作で迅速に、かつ、意図した画像形成装置でジョブを処理させることのできる画像処理システム、サーバー、制御方法および制御プログラムを提供することを目的としている。
【課題を解決するための手段】
【０００９】
上記目的を達成するために、本発明のある局面に従うと、画像処理システムは、撮影手段、表示手段、および入力手段を含む携帯端末と、画像処理装置と、携帯端末および画像処理装置と相互に通信可能なサーバーとを備える。画像処理装置は、処理すべきジョブに関する情報をサーバーに対して送信するための送信手段を含む。サーバーは、画像処理装置の位置を取得し、記憶する処理と、携帯端末の位置および向きを取得し、携帯端末の撮影範囲にある画像処理装置を特定して、特定された画像処理装置を表わす画像を表示するための情報を、携帯端末に対して送信する処理と、特定された画像処理装置のうちの携帯端末において選択された画像処理装置について、当該画像処理装置が処理すべきジョブのうちの、携帯端末に関連付けられたユーザーに関連付けられたジョブを提示するための情報を、携帯端末に対して送信する処理と、提示されたジョブのうちの携帯端末において選択されたジョブを移動対象のジョブとして、携帯端末の撮影範囲にある画像処理装置のうちの移動対象のジョブを処理可能な画像処理装置を表わす画像を表示するための情報を、携帯端末に対して送信する処理と、移動対象のジョブを処理可能な画像処理装置のうち、携帯端末において選択された画像処理装置に、移動対象のジョブを移動させる処理とを実行する。携帯端末は、サーバーから送信された情報に基づく画像を、撮影手段での撮影画像に重ねて表示する処理を行なう。
【００１０】
好ましくは、サーバーは、携帯端末において移動対象のジョブを処理可能な画像処理装置のうちの画像処理装置が選択されると、画像処理装置で移動対象のジョブを処理した場合の処理予測時間を算出して、処理予測時間を表示するための情報を携帯端末に対して送信する処理をさらに実行する。
【００１１】
好ましくは、携帯端末の表示手段はタッチパネルであって、携帯端末においては、タッチパネルに表示された移動対象のジョブを表わす画像へのタッチを維持したまま、移動対象のジョブを処理可能な画像処理装置を表わす画像に対して移動させる操作によって、移動対象のジョブの処理を実行させる画像処理装置を選択する。
【００１２】
好ましくは、サーバーは、携帯端末の撮影範囲にある画像処理装置を表わす画像を表示するための情報を携帯端末に対して送信する処理において、携帯端末において移動対象のジョブが選択されている場合には、画像処理装置を表わす画像を表示するための情報と共に、移動対象のジョブを表わす画像を表示するための情報を携帯端末に対して送信する。
【００１３】
好ましくは、サーバーは、移動対象のジョブの処理が当該ジョブを保持している画像処理装置によって携帯端末において当該ジョブの処理をさせる画像処理装置の選択よりも以前に開始された場合に、移動対象のジョブを処理可能な画像処理装置を表わす画像の近傍に、当該ジョブが処理済みであることを表わす画像を表示するための情報を、携帯端末に対して送信する処理をさらに実行する。
【００１４】
本発明の他の局面に従うと、サーバーは、撮影手段と表示手段と入力手段を含む携帯端末、および画像処理装置と相互に通信可能なサーバーであって、当該サーバーに含まれる処理装置は、画像処理装置の位置を取得し、記憶する処理と、携帯端末の位置および向きを取得し、携帯端末の撮影範囲にある画像処理装置を特定して、特定された画像処理装置を表わす画像を表示するための情報を、携帯端末に対して送信する処理と、特定された画像処理装置のうちの携帯端末において選択された画像処理装置について、当該画像処理装置が処理すべきジョブのうちの、携帯端末に関連付けられたユーザーに関連付けられたジョブを提示するための情報を、携帯端末に対して送信する処理と、提示されたジョブのうちの携帯端末において選択されたジョブを移動対象のジョブとして、携帯端末の撮影範囲にある画像処理装置のうちの移動対象のジョブを処理可能な画像処理装置を表わす画像を表示するための情報を、携帯端末に対して送信する処理と、移動対象のジョブを処理可能な画像処理装置のうち、携帯端末において選択された画像処理装置に、移動対象のジョブを移動させる処理とを実行する。
【００１５】
本発明のさらに他の局面に従うと、制御方法は、撮影手段、表示手段、および入力手段を含む携帯端末と、画像処理装置と、携帯端末および画像処理装置と相互に通信可能なサーバーとを含む画像処理システムの制御方法であって、携帯端末の撮影手段で撮影を行なうステップと、携帯端末の撮影時の位置および向きと、画像処理装置の位置とから特定される携帯端末の撮影範囲にある画像処理装置を表わす画像を表示するための情報を、サーバーから携帯端末に送信するステップと、携帯端末の表示手段で、撮影を行なうステップで得られた撮影画像に画像処理装置を表わす画像を重ねて表示するステップと、上記画像が表示された画像処理装置のうち携帯端末において選択された画像処理装置について、当該画像処理装置が処理すべきジョブのうちの、携帯端末に関連付けられたユーザーに関連付けられたジョブを、携帯端末の表示手段で表示するステップと、表示されたジョブのうち、移動対象とするジョブの選択を携帯端末の入力手段で受け付けるステップと、ジョブの選択の後に携帯端末の撮影手段で撮影を行なうステップと、携帯端末の撮影範囲にある画像処理装置のうちの、携帯端末において選択された移動対象のジョブを処理可能な画像処理装置を表わす画像を表示するための情報を、サーバーから携帯端末に送信するステップと、携帯端末の表示手段で、撮影を行なうステップで得られた撮影画像に移動対象のジョブを処理可能な画像処理装置を表わす画像を重ねて表示するステップと、移動対象のジョブを処理可能な画像処理装置のうち、移動対象のジョブを処理させる画像処理装置の選択を携帯端末の入力手段で受け付けるステップと、携帯端末において選択された画像処理装置に、移動対象のジョブを移動させるステップとを備える。
【００１６】
本発明のさらに他の局面に従うと、制御プログラムは、撮影手段と表示手段と入力手段を含む携帯端末、および画像処理装置と相互に通信可能なサーバーに処理を実行させるための制御プログラムであって、サーバーは、画像処理装置の位置を取得し、記憶しており、携帯端末の位置および向きを取得し、携帯端末の撮影範囲にある画像処理装置を特定して、特定された画像処理装置を表わす画像を表示するための情報を、携帯端末に対して送信するステップと、特定された画像処理装置のうちの携帯端末において選択された画像処理装置について、当該画像処理装置が処理すべきジョブのうちの、携帯端末に関連付けられたユーザーに関連付けられたジョブを提示するための情報を、携帯端末に対して送信するステップと、提示されたジョブのうちの携帯端末において選択されたジョブを移動対象のジョブとして、携帯端末の撮影範囲にある画像処理装置のうちの移動対象のジョブを処理可能な画像処理装置を表わす画像を表示するための情報を、携帯端末に対して送信するステップと、移動対象のジョブを処理可能な画像処理装置のうち、携帯端末において選択された画像処理装置に、移動対象のジョブを移動させるステップとをサーバーに実行させる。
【発明の効果】
【００１７】
この発明によると、容易な操作で迅速に、かつ、意図した画像形成装置でジョブを処理させることができる。
【図面の簡単な説明】
【００１８】
【図１】実施の形態にかかる画像処理システムの構成の具体例を示す図である。
【図２】画像処理システムに含まれるＭＦＰのハードウェア構成の具体例を示す図である。
【図３】画像処理システムに含まれる携帯端末のハードウェア構成の具体例を示す図である。
【図４】画像処理システムに含まれるサーバーのハードウェア構成の具体例を示す図である。
【図５】画像処理システムでの、情報の流れを表わした図である。
【図６】画像処理システムでの動作概要を表わした図である。
【図７】携帯端末の表示画面の具体例を示す図である。
【図８】ＭＦＰのジョブ情報の表示画面の具体例を示す図である。
【図９】移動候補のジョブの選択後に、更新された表示画面の具体例を示す図である。
【図１０】携帯端末の表示画面の具体例を示す図である。
【図１１】携帯端末の表示画面の具体例を示す図である。
【図１２】サーバーの機能構成の具体例を示すブロック図である。
【図１３】携帯端末の機能構成の具体例を示すブロック図である。
【図１４】サーバーでの動作の流れの具体例を表わすフローチャートである。
【図１５】携帯端末での動作の流れの具体例を表わすフローチャートである。
【図１６】携帯端末の表示画面の具体例を示す図である。
【発明を実施するための形態】
【００１９】
以下に、図面を参照しつつ、本発明の実施の形態について説明する。以下の説明では、同一の部品および構成要素には同一の符号を付してある。それらの名称および機能も同じである。
【００２０】
＜システム構成＞
図１は、本実施の形態にかかる画像処理システムの構成の具体例を示す図である。
【００２１】
図１を参照して、本実施の形態にかかる画像処理システムは、画像処理装置としての、複数のＭＦＰ（Multi-Functional Peripheral）１００Ａ，１００Ｂ，１００Ｃと、携帯端末２００と、サーバー３００とを含む。複数のＭＦＰ１００Ａ，１００Ｂ，１００Ｃを代表させて、ＭＦＰ１００と称する。
【００２２】
画像処理装置はＭＦＰに限定されず、プリンターやファクシミリ送受信機やコピー機などのその他の装置であってもよい。ＭＦＰ１００は、これら機能を複合的に備えた画像処理装置である。
【００２３】
携帯端末２００は、たとえば携帯電話機などが該当し、少なくともカメラ機能と、指示入力機能と、通信機能とを備えていれば、他の装置であってもよい。
【００２４】
サーバー３００は、一般的なパーソナルコンピューターなどから構成されるものであればよい。
【００２５】
以下の説明では、図１に示されたように、ＭＦＰ１００とは別にサーバー３００が含まれるものとしているが、サーバー３００がＭＦＰ１００に含まれ、ＭＦＰ１００がサーバーとして機能してもよい。
【００２６】
ＭＦＰ１００、携帯端末２００、およびサーバー３００は互いに通信可能であり、情報をやり取りする。この通信は、有線、無線を問わず、いずれの通信形態であってもよい。本実施の形態にかかる画像処理システムはオフィス環境で用いられることが想定されるため、一例として、図１に表わされたように、有線、または無線のＬＡＮ（Local Area Network）にこれら装置が接続され、該ネットワークを介して情報をやり取りする通信形態が挙げられる。
【００２７】
＜装置構成＞
図２は、ＭＦＰ１００のハードウェア構成の具体例を示す図である。
【００２８】
図２を参照して、ＭＦＰ１００は、全体を制御するための演算装置であるＣＰＵ（Central Processing Unit）１０と、ＣＰＵ１０で実行されるプログラムなどを記憶するためのＲＯＭ（Read Only Memory）１１と、ＣＰＵ１０でプログラムを実行する際の作業領域として機能するためのＲＡＭ（Random Access Memory）１２と、図示しない原稿台に載置された原稿を光学的に読み取って画像データーを得るためのスキャナー１３と、画像データーを印刷用紙上に固定するためのプリンター１４と、情報を表示したり当該ＭＦＰ１００に対する操作入力を受け付けたりするためのタッチパネルを含んだ操作パネル１５と、画像データーを保存するためのメモリー１６と、ＬＡＮを介した通信の制御するためのネットワークコントローラー１７と、ＭＦＰ１００の状態を検出するためのセンサー１８と、ＧＰＳ（Global Positioning System）信号を受信して当該ＭＦＰ１００の位置情報を取得するためのＧＰＳコントローラー１９とを含む。
【００２９】
操作パネル１５は、図示しないタッチパネルと操作キー群とを含む。タッチパネルは、液晶表示装置などの表示装置と光学式タッチパネルや静電容量タッチパネルなどの位置指示装置とが重なって構成され、操作画面を表示して、その操作画面上の指示位置を特定する。ＣＰＵ１０は予め記憶されている画面表示をさせるためのデーターに基づいてタッチパネルに操作画面を表示させる。
【００３０】
センサー１８としては、たとえば、トナー量残量を検出するためのセンサーや、各部のジャム（紙詰まり）や温度異常や動作異常等を検出するためのセンサーや、各部品の装着の有無を検知するためのセンサーなどが該当する。
【００３１】
ＧＰＳコントローラー１９は、取得した当該ＭＦＰ１００の位置情報を示す信号をＣＰＵ１０に入力する。
【００３２】
メモリー１６には、さらに、当該ＭＦＰ１００の位置情報が記憶されている。この例では、当該ＭＦＰ１００の位置情報はＧＰＳコントローラー１９によって取得されるものとしているが、他の例として、操作パネル１５から入力されるものであってもよい。
【００３３】
図３は、携帯端末２００のハードウェア構成の具体例を示す図である。
図３を参照して、携帯端末２００は、全体を制御するための演算装置であるＣＰＵ２０と、ＣＰＵ２０で実行されるプログラムなどを記憶するためのＲＯＭ２１と、ＣＰＵ２０でプログラムを実行する際の作業領域として機能するためのＲＡＭ２２と、磁気センサーを含んで当該携帯端末２００の向きを検出するための電子コンパス２３と、ＧＰＳ信号または基地局からの位置信号を受信して当該携帯端末の位置情報を取得するためのＧＰＳコントローラー２４と、情報を表示したり当該携帯端末２００に対する操作入力を受け付けたりするためのタッチパネルを含んだ操作パネル２５と、カメラ２６と、ＬＡＮを介した通信の制御するためのネットワークコントローラー２７と、電話帳データーなどを記憶するためメモリー２８とを含む。
【００３４】
操作パネル２５は、ＭＦＰ１００の操作パネル１５と同様の構成であってよい。すなわち、一例として、液晶表示装置などの表示装置と光学式タッチパネルや静電容量タッチパネルなどの位置指示装置とが重なって構成されたタッチパネルと、操作キーとを含む。
【００３５】
ＣＰＵ２００は予め記憶されている画面表示をさせるためのデーターに基づいてタッチパネルに操作画面を表示させる。タッチパネルでは操作画面上の指示位置が特定され、その位置を示す操作信号がＣＰＵ２０に入力される。また、押下されたキーを示す操作信号がＣＰＵ２０に入力される。ＣＰＵ２０は押下されたキー、または表示している操作画面と指示位置とから操作内容を特定し、それに基づいて処理を実行する。
【００３６】
また、電子コンパス２３およびＧＰＳコントローラー２４は、取得した当該携帯端末２００の向きや位置情報を示す信号をＣＰＵ２０に入力する。
【００３７】
図４は、サーバー３００のハードウェア構成の具体例を示す図である。
図４を参照して、サーバー３００は上述のように一般的なコンピュータ等によって構成されるものであり、一例として、全体を制御するための演算装置であるＣＰＵ３０と、ＣＰＵ３０で実行されるプログラムなどを記憶するためのＲＯＭ３１と、ＣＰＵ３０でプログラムを実行する際の作業領域として機能するためのＲＡＭ３２と、ＭＦＰ情報などを記憶するためのＨＤ（Hard Disk）３３と、ＬＡＮを介した通信の制御するためのネットワークコントローラー３４とを含む。
【００３８】
＜動作概要＞
図５は、実施の形態にかかる画像処理システムでの、情報の流れを表わした図である。
【００３９】
図５を参照して、ＭＦＰ１００は、たとえば電源投入時やサーバー３００との通信が確立したときやサーバー３００からの要求を受けたとき、などの所定のタイミングで自身の位置を測定し、当該位置を表わす位置情報を記憶する。なお、測定に替えて、たとえば操作パネル１５からの、位置情報の入力を受け付けることで、位置情報を取得するようにしてもよい。
【００４０】
ＭＦＰ１００は、一定時間間隔やサーバー３００からの要求を受けたとき、などの所定のタイミングで、自身の印刷能力を表わす情報、記憶しているジョブに関する情報、およびマシンステータスを表わす情報を記憶している位置情報と共に、ＭＦＰ情報としてサーバー３００に送信する。ここで、ジョブに関する情報には、少なくとも、ジョブに関連付けられたユーザー情報が含まれる。
【００４１】
携帯端末２００は、撮影時の位置および方向を測定し、当該携帯端末２００のユーザー情報と共にサーバー３００に対して送信する。
【００４２】
サーバー３００は、該当するＭＦＰについて、記憶しているＭＦＰ情報に基づいてタグ情報を生成し、携帯端末２００に対して送信する。
【００４３】
ここで、タグ情報とは、携帯端末２００での撮影画像に合成することで付加される画像であるタグを表示させるための情報を指す。詳しくは、タグ情報には、ＭＦＰ１００を特定する情報をタグとして表示するための情報が含まれる。さらに、ＭＦＰ１００に送信され、処理前のジョブに関する情報を表示するための情報が含まれる。
【００４４】
サーバー３００は、一例として、タグ情報のフォーマットを予め記憶しておき、対象のＭＦＰ情報から必要な情報を読み出して該フォーマットに埋め込むことでタグ情報を生成することができる。
【００４５】
携帯端末２００は、撮影画像にサーバー３００から受信したタグ情報に基づくタグを重ねて表示する。
【００４６】
図６は、画像処理システムでの動作概要を表わした図である。
図６を参照して、ＭＦＰでは自身の位置を測定し（ステップＳ１１）、その位置を表わす位置情報を含むＭＦＰ情報をサーバーに対して送信する（ステップＳ１２）。
【００４７】
なお、ＭＦＰ情報に含まれる位置情報は、上記ステップＳ１２でＭＦＰ情報を送信するたびに併せて送信されてもよいし、上記ステップＳ１２でＭＦＰ情報を送信するたびに送信されるのではなく、たとえば電源投入時やサーバー３００との通信が確立したときなどの予め規定されたタイミングのみ送信され、他のＭＦＰ情報の送信の際には位置情報が送信されなくてもよい。
【００４８】
サーバーは、取得したＭＦＰ情報を記憶する（ステップＳ３１）。
携帯端末においてタグ表示のためのアプリケーションが起動され、該アプリケーションの動作に従ってカメラ２６で撮影が行なわれると（ステップＳ５１）、そのときの位置および向きが測定される（ステップＳ５２）。そして、携帯端末から測定された位置および方向と共に、当該携帯端末に関連付けられたユーザー情報がサーバーに送信され、タグ情報が要求される（ステップＳ５３）。
【００４９】
上記要求を受信したサーバーは、ＭＦＰ情報に含まれる位置情報で表わされる各ＭＦＰの位置と携帯端末の位置および方向とから、当該携帯端末の撮影範囲にあるＭＦＰを特定し、そのＭＦＰについてのＭＦＰ情報を検索する（ステップＳ３２）。そして、そのＭＦＰ情報に基づいてタグ情報を生成し、携帯端末に対して送信する（ステップＳ３３）。
【００５０】
携帯端末では、上記ステップＳ５１での撮影画面に、撮影されているＭＦＰの識別情報を表わすタグが重ねて表示される（ステップＳ５４）。
【００５１】
図７は、上記ステップＳ５４での表示画面の具体例を示す図である。図７では、説明のために、撮影画像に重ねられたタグのみが表わされている。図７に示されるように、撮影画像に含まれるＭＦＰの近傍に、当該ＭＦＰを表わす識別情報（ＭＦＰ１〜ＭＦＰ６）を示した画像であるタグが表示される。
【００５２】
さらに、図７に示されるように、好ましくは、携帯端末に関連付けられたユーザー情報が関連付けられたジョブと、そうでないジョブとが区別してタグが表示される。また、好ましくは、マシンステータスに応じてタグが表示される。図７の例では、携帯端末のユーザーに関連付けられたジョブがないＭＦＰの識別情報が一重線で、携帯端末のユーザーに関連付けられたジョブがあるＭＦＰの識別情報が二重線で、携帯端末のユーザーに関連付けられたジョブがあり、かつマシンがトラブルやメンテナンス等で出力停止中のステータスであるＭＦＰの識別情報が三重線で表わされている。
【００５３】
このような表示態様は、サーバー側で特定し、タグ情報に含めて携帯端末に送信されるものであってもよい。この場合、サーバー側で携帯端末の撮影範囲に含まれるＭＦＰを特定すると共に、これらのＭＦＰそれぞれのＭＦＰ情報を参照して、これらＭＦＰのうちの当該携帯端末のユーザーのジョブを有するものと有さないものとを特定し、さらに、これらＭＦＰのマシンステータスを特定した上で表示態様を決定し、タグ情報に含める。
【００５４】
または、予め携帯端末側にて属性ごとの表示態様を記憶しており、タグ情報に含まれるこれらの情報に基づいて携帯端末側で決定してもよい。この場合、サーバー側で携帯端末の撮影範囲に含まれるＭＦＰを特定すると共に、これらのＭＦＰそれぞれのＭＦＰ情報を参照して、これらＭＦＰのうちの当該携帯端末のユーザーのジョブを有するものと有さないものとを特定し、さらに、これらＭＦＰのマシンステータスを特定し、特定されたこれらの情報をタグ情報に含めて携帯端末に対して送信する。携帯端末は受信したタグ情報からこれらの情報を読み出して表示態様を決定する。
【００５５】
さらに、図７に示されるように、好ましくは、携帯端末からＭＦＰまでの距離に応じてサイズでタグが表示される。図７の例では、携帯端末から近いＭＦＰほどそのタグが大きく表示され、遠いＭＦＰほど小さく表示されている。これもまた上述と同様にして、サーバー側でタグのサイズが決定されてもよいし、携帯端末側にてタグのサイズが決定されてもよい。
【００５６】
図７に表示されたＭＦＰのタグはそれぞれ選択可能であって、タグが選択されると、対応するＭＦＰのジョブの情報が表示される。携帯端末の操作パネルに表示されたＭＦＰのタグがタッチによって選択可能なタグである場合にはいずれかのタグがタッチされた場合に、図示しないマウス等を当てることで選択可能な場合にはいずれかのタグにマウスが当てられた場合に、そのタグで表わされるＭＦＰのジョブ情報が表示される。
【００５７】
図８は、ＭＦＰのジョブ情報の表示画面の具体例を示す図である。ここでは、選択されたＭＦＰで処理が完了していない、携帯端末のユーザーに関連付けられたジョブの情報が表示される。具体的には、当該ジョブを特定する情報と、そのジョブの予想出力時間とが表示される。出力予想時間は、ＭＦＰ情報に含まれるＭＦＰの印刷能力とジョブ情報に含まれるジョブのサイズとに基づいてサーバーで算出されてもよいし、ＭＦＰから送信されるＭＦＰ情報に、ジョブ情報として当該ジョブの出力予想時間が含まれていてもよい。
【００５８】
図８において、ジョブは選択可能に表示されている。ここでの選択は、上述のＭＦＰの選択と同様である。ここで選択されたジョブは、当該ＭＦＰから他のＭＦＰに移動させる候補とされる。
【００５９】
図８の画面においてジョブの選択を受け付けると、携帯端末は選択されたジョブを特定する情報を選択情報としてサーバーに対して送信する（ステップＳ５５）。この情報を受信したサーバーは、該当するジョブ情報を移動候補として管理する（ステップＳ３４）。ここでは、たとえば、ジョブ情報ごとに移動の対象とするか否かを表わすフラグを設けて、選択されたジョブのフラグを立てる、などの管理が挙げられる。
【００６０】
サーバーは、選択されたジョブ情報を移動候補として表わすようにタグ情報を更新し、携帯端末に送信することで、携帯端末の表示画面が更新される。図９は、移動候補のジョブの選択後に、更新された表示画面の具体例を示す図である。図９を参照して、上述のように移動候補のジョブが選択されることで、図７に示されたＭＦＰの識別情報を表わしたタグに加えて、当該ジョブを表わしたタグが表示される。図９の例では、移動候補のジョブが、雲形のタグで表示されている。
【００６１】
上述の移動候補のジョブの選択は図９の「ジョブ選択終了」ボタンがタッチされるまで繰り返されてもよい。それによって、複数のジョブを移動候補のジョブとして選択することができる。移動候補のジョブが複数選択された場合にも、図９に示されるように、移動候補のジョブが選択されていることを表わす雲形のタグが１つ表示されてもよいし、ジョブごとに、選択された数だけ雲形のタグが表示されてもよい。
【００６２】
移動候補のジョブの選択が完了した後に、携帯端末において撮影が行なわれることで（ステップＳ５６）、その位置、方向が測定されて（ステップＳ５７）、サーバーに対してタグ情報が要求される（ステップＳ５８）。
【００６３】
サーバーでは上記ステップＳ３２と同様にしてＭＦＰ情報を検索してタグ情報を生成し、携帯端末に対して送信する（ステップＳ３５，Ｓ３６）。携帯端末では、受信したタグ情報に基づいて表示画面が更新される（ステップＳ５９）。
【００６４】
図１０は、上記ステップＳ５９で更新される表示画面の具体例を示す図である。図１０を参照して、ここでは、携帯端末の撮影範囲内にあるＭＦＰのうち、選択された移動候補のジョブが処理可能なＭＦＰの識別情報を表わすタグが撮影画像に重ねて表示されると共に、上述のように選択された移動候補のジョブを表わすタグ（図１０の例では雲形のタグ）が表示される。このとき、携帯端末の撮影範囲内にある、選択された移動候補のジョブが処理可能でないＭＦＰの識別情報を表わすタグも併せて表示されてもよいが、その場合には、選択された移動候補のジョブが処理可能なＭＦＰの識別情報を表わすタグがそうでないＭＦＰの識別情報を表わすタグとは区別して表示される。
【００６５】
図１０の例では、選択された移動候補のジョブの処理（印刷）ができないＭＦＰの識別情報が一重線で、ジョブの印刷が可能なＭＦＰの識別情報が二重線で、マシンがトラブルやメンテナンス等で出力停止中であるＭＦＰの識別情報が三重線で表わされている。
【００６６】
図１０に表示されたＭＦＰのタグはそれぞれ選択可能であって、タグが選択されると、携帯端末は選択されたＭＦＰを特定する情報を選択情報としてサーバーに対して送信する（ステップＳ６０）。携帯端末の操作パネルに表示されたＭＦＰのタグがタッチによって選択可能なタグである場合にはいずれかのタグがタッチされることでＭＦＰが選択される。または、図示しないマウス等を当てることで選択可能な場合にはいずれかのタグにマウスが当てられることでＭＦＰが選択される。
【００６７】
この情報を受信したサーバーは、選択されたＭＦＰで移動候補のジョブを処理するとしたときの情報を携帯端末に表示させる。図１１は、移動先を選択した後に表示される画面の具体例を示す図である。図１１の例は、図８の画面において「ＪＯＢ＿Ａ」および「ＪＯＢ＿Ｂ」で表わされたジョブを移動ジョブとして選択し、図１０の画面において「ＭＦＰ＿Ａ」で表わされたＭＦＰを移動先のＭＦＰとして選択した場合の画面が表わされている。
【００６８】
図１１の画面では、「ＭＦＰ＿Ａ」で表わされたＭＦＰでこれらジョブを処理するとしたときの出力予想時間が示されている。さらに、図１１に示されるように、当該携帯端末から「ＭＦＰ＿Ａ」で表わされたＭＦＰまでの距離が示されてもよい。距離に替えて、一般的な歩行速度と距離とを用いて算出することで、移動時間を示してもよい。これらは、記憶されているＭＦＰ情報と、移動前のＭＦＰから取得できるジョブの情報とに基づいてサーバーで算出されてもよいし、移動先として選択されたＭＦＰに算出を行なわせて得られてもよい。
【００６９】
この表示は、ＭＦＰが選択されるたびに行なわれる。そして、最終的に移動させるＭＦＰが決定されると、サーバーは、移動候補のジョブを決定されたＭＦＰのジョブとなるように管理する（ステップＳ３７）。具体的には、サーバーは移動前のＭＦＰから移動させるジョブを取得して、移動先に決定されたＭＦＰに転送する処理（ステップＳ３８）を行なう。または、移動前のＭＦＰに対して移動先に決定されたＭＦＰを通知して、そのＭＦＰに移動させるジョブを転送するコマンドを送信してもよい。
【００７０】
ＭＦＰの特定は、たとえば図１１の画面に図示しない「決定」ボタンが設けられ、そのボタンを押下することでなされてもよい。または、移動候補のジョブを表わすタグをＭＦＰのタグに向けてドラッグアンドドロップ（移動候補のジョブを表わすタグに対するタッチ状態を維持したままＭＦＰのタグに向けて移動）することでＭＦＰが決定されてもよい。
【００７１】
＜機能構成＞
図１２は、上述の動作を実現するためのサーバー３００の機能構成の具体例を示すブロック図である。図１２に示される各機能は、ＣＰＵ３０がＲＯＭ３１に記憶されるプログラムを読み出してＲＡＭ３２上で実行することで、主にＣＰＵ３０に形成される機能である。しかしながら、少なくとも一部の機能が図４に示されたハードウェア構成によって形成されてもよい。
【００７２】
図１２を参照して、ＨＤ３３には、ＭＦＰから送信されたＭＦＰ情報を記憶するための記憶領域であるＭＦＰ情報記憶部３３１が含まれる。
【００７３】
さらに図１２を参照して、上記動作を実現するための機能としてサーバー３００は、ネットワークコントローラー３４を介してＭＦＰ１００から位置情報やジョブ情報などのＭＦＰ情報の入力を受け付けるためのＭＦＰ情報入力部３０１と、入力されたＭＦＰ情報をＭＦＰ情報記憶部３３１に格納するための格納部３０２と、ネットワークコントローラー３４を介して携帯端末２００から携帯端末の位置および向きを受信して、該当するＭＦＰについてのタグ情報の要求を受け付けるための要求入力部３０３と、受信した携帯端末の位置および向きに基づいてＭＦＰ情報を検索するための検索部３０４と、検索されたＭＦＰ情報を用いてタグ情報を生成するための生成部３０５と、生成されたタグ情報をネットワークコントローラー３４を介して携帯端末２００に対して送信するための送信部３０６と、ネットワークコントローラー３４を介して携帯端末２００から移動候補として選択されたジョブや移動先として選択されたＭＦＰの情報を選択情報として受信するための選択情報入力部３０７と、その情報に基づいてＭＦＰ情報に含まれるタグ情報を管理するための管理部３０８と、ＭＦＰでのジョブの出力予想時間等を算出するための算出部３０９とを含む。
【００７４】
図１３は、上述の動作を実現するための携帯端末２００の機能構成の具体例を示すブロック図である。図１３に示される各機能は、ＣＰＵ２０がＲＯＭ２１に記憶されるプログラムを読み出してＲＡＭ２２上で実行することで、主にＣＰＵ２０に形成される機能である。しかしながら、少なくとも一部の機能が図３に示されたハードウェア構成によって形成されてもよい。
【００７５】
図１３を参照して、上記動作を実現するための機能として携帯端末２００は、操作パネル２５からの指示入力を受け付けるための指示入力部２０５と、操作パネル２５からの撮影指示に応じてＧＰＳコントローラー２４から得られた信号より当該携帯端末２００の位置を取得するための位置取得部２０６と、操作パネル２５からの撮影指示に応じて電子コンパス２３から得られた信号より当該携帯端末２００の向きを取得するための向き取得部２０７と、操作パネル２５からの撮影指示に応じてカメラ２６による撮影を実行して撮影された画像データーを取得するための画像取得部２０８と、取得された位置と向きとを表わす情報をネットワークコントローラー２７を介してサーバー３００に対して送信するための送信部２０３と、ネットワークコントローラー２７を介してサーバー３００から送信されたタグ情報の入力を受け付けるためのタグ情報入力部２０４と、撮影画像とタグ情報とから画面を生成するための生成部２１０と、生成された画面を操作パネル２５に表示する処理を実行するための表示処理部２１１とを含む。
【００７６】
＜動作フロー＞
図１４は、サーバー３００での動作の流れの具体例を表わすフローチャートである。図１４のフローチャートに示される動作は、ＣＰＵ３０がＲＯＭ３１に記憶されるプログラムを読み出してＲＡＭ３２上で実行し、図１２に示される各機能を発揮することによって実現される。
【００７７】
図１４を参照して、サーバー３００のＣＰＵ３０は、ＭＦＰ１００から位置情報やジョブ情報を含むＭＦＰ情報を受信すると（ステップＳ３０１でＹＥＳ）、ステップＳ３０３で受信したＭＦＰ情報を格納する。
【００７８】
携帯端末から位置および向きを表わす情報が送信され、タグ情報の要求があった場合には（ステップＳ１０５でＹＥＳ）、ステップＳ１０７でＣＰＵ３０は、受信した位置および向きとＭＦＰ情報に含まれる位置情報とを比較して、携帯端末の撮影範囲に存在するＭＦＰについてのＭＦＰ情報を検索し、ステップＳ１０９で当該ＭＦＰ情報からタグ情報を生成して携帯端末に対して送信する。
【００７９】
携帯端末から移動候補のジョブの選択を受け付けると（ステップＳ１１１でＹＥＳ）、ステップＳ１１３でＣＰＵ３０は、選択されたジョブを移動候補とするよう各ジョブを管理する。
【００８０】
その後、携帯端末から移動先のＭＦＰの選択を受け付けると（ステップＳ１１５でＹＥＳ）、ステップＳ１１７でＣＰＵ３０は、上記ステップＳ１１１で選択された移動候補のジョブが選択されたＭＦＰに移動した場合の当該ＭＦＰでの出力予想時間を算出し、その情報を携帯端末に対して送信する。このとき、当該ＭＦＰの位置情報と携帯端末の位置とに基づいて、携帯端末からＭＦＰまでの距離や移動時間を算出し、上記出力予想時間と共に送信してもよい。
【００８１】
そして、移動先のＭＦＰが決定されると（ステップＳ１１９でＹＥＳ）、ステップＳ１２１でＣＰＵ３０は、移動させるジョブを移動前のＭＦＰから決定された移動先のＭＦＰに移動させる。
【００８２】
ＣＰＵ３０は、以上の動作を繰り返し行なう。
図１５は、携帯端末２００での動作の流れの具体例を表わすフローチャートである。図１５のフローチャートに示される動作は、ＣＰＵ２０がＲＯＭ２１に記憶されるプログラムを読み出してＲＡＭ２２上で実行し、図１３に示される各機能を発揮することによって実現される。
【００８３】
図１５を参照して、携帯端末２００のＣＰＵ２０は、撮影指示を受け付けると（ステップＳ２０１でＹＥＳ）、ステップＳ２０３でＣＰＵ２０はカメラ２６での撮影を行なうと共に、ステップＳ２０５でそのときの位置および向きを測定する。そして、ステップＳ２０７で、測定された位置および向きをサーバー３００に送信して、タグ情報を要求する。
【００８４】
当該要求に応じてサーバー３００からタグ情報を受信すると（ステップＳ２０９でＹＥＳ）、ステップＳ２１１でＣＰＵ２０は、受信したタグ情報に基づく画像であるタグを上記ステップＳ２０３で得られた撮影画像に合成して表示する。これにより、図７の画面が表示される。
【００８５】
図７の画面のタグが選択されると、図８に表わされたように、当該タグで表わされたＭＦＰの、当該携帯端末のユーザーに関連した各ジョブが表示される。その中から、移動候補のジョブが選択されると（ステップＳ２１３でＹＥＳ）、ステップＳ２１５でＣＰＵ２０は、選択されたジョブを表わす情報を選択情報としてサーバー３００に対して送信する。
【００８６】
このとき、選択情報を受信したサーバー３００から、選択されたジョブを表わすタグ情報が送信されてもよい。これにより、図９の画面が表示される。なお、上記ステップＳ２０１からの動作は、図１５の一連の動作の途中で繰り返されてもよい。上記ステップＳ２１５の後に撮影指示がなされると、上記ステップＳ２０１からの動作がここで実行され、撮影画像にタグが合成されて表示される。そのとき、上記ステップＳ２１３で移動候補のジョブが選択されている場合には、図１０に表わされたように、移動候補のジョブを表わすタグも合成して表示される。
【００８７】
図９や図１０の画面において移動先とするＭＦＰが選択されると（ステップＳ２１７でＹＥＳ）、ステップＳ２１９でＣＰＵ２０は、選択されたＭＦＰを表わす情報を選択情報としてサーバー３００に対して送信する。そして、ステップＳ２２１でＣＰＵ２０は、選択情報を受信したサーバー３００から、移動候補のジョブが選択されたＭＦＰに移動した場合の当該ＭＦＰでの出力予想時間を受信して、図１１のように、表示画面を更新する。このとき、携帯端末からＭＦＰまでの距離や移動時間もサーバー３００から送信された場合には、図１１に示されたように表示画面においてその情報も表示させる。
【００８８】
その後、移動先とするＭＦＰが決定されると（ステップＳ２２３でＹＥＳ）、ステップＳ２２５でＣＰＵ２０は、決定されたＭＦＰを表わす情報をサーバー３００に対して送信する。
【００８９】
ＣＰＵ２０は、以上の動作を繰り返し行なう。
＜実施の形態の効果＞
本実施の形態にかかる画像処理システムで以上の動作が行なわれることで、ユーザーは、ジョブを発行した後に、ＭＦＰを携帯端末で撮影するという容易な操作で、各ＭＦＰでの当該ユーザーの発行したジョブの処理状況を携帯端末で把握することができる。さらに、その処理状況を確認した上で、任意のＭＦＰに対してジョブを容易な操作でジョブを移動させることができる。
【００９０】
そのため、効率的なジョブの処理が可能となると共に、たとえば取りに行きやすいＭＦＰや、使い慣れているＭＦＰなど、意図するＭＦＰにジョブを移動させることができ、使い勝手を向上させることができる。
【００９１】
なお、本画像処理システムでは、上述のように、いったん発行ジョブを、その後に移動させることがなされている。そのため、移動の指示のタイミングによっては、移動前のＭＦＰで移動候補とされたジョブの処理が完了してしまう場合もある。
【００９２】
そこで、好ましくは、ＭＦＰ１００は、ＭＦＰ情報としてのジョブ情報に、処理を開始したジョブを特定する情報も含めてサーバー３００に送信する。サーバー３００はＭＦＰ情報に処理を開始したジョブを特定する情報が含まれる場合には、当該ジョブが移動候補となっているか否かを確認し、なっている場合には、当該ジョブを移動候補のジョブから処理隅のジョブとなるよう管理する。より好ましくは、このとき、サーバー３００は、たとえば図１６に示されたように、移動候補のジョブを表わすタグに対して、当該ジョブが処理済みであることを表わすタグをさらに追加して表示させるためのタグ情報を携帯端末に対して送信する。
【００９３】
このようにすることで、より使い勝手を向上させることができる。
さらに、上述の動作をサーバー３００、携帯端末２００、およびＭＦＰ１００に実行させるためのプログラムを提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読み取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００９４】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００９５】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００９６】
提供されるプログラム製品は、ハードディスクなどのプログラム格納部にインストールされて実行される。なお、プログラム製品は、プログラム自体と、プログラムが記録された記録媒体とを含む。
【００９７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９８】
１０，２０，３０  ＣＰＵ、１３  スキャナー、１４  プリンター、１５，２５  操作パネル、１６，２８  メモリー、１７，２７，３４  ネットワークコントローラー、１８  センサー、１９，２４  ＧＰＳコントローラー、２１，３１  ＲＯＭ、２２，３２  ＲＡＭ、２３  電子コンパス、２６  カメラ、３３  ＨＤ、１００  ＭＦＰ、２００  携帯端末、２０３，３０６  送信部、２０４  タグ情報入力部、２０５  指示入力部、２０６  位置取得部、２０７  向き取得部、２０８  画像取得部、２１０，３０５  生成部、２１１  表示処理部、３００  サーバー、３０１  情報入力部、３０２  格納部、３０３  要求入力部、３０４  検索部、３０７  選択情報入力部、３０８  管理部、３０９  算出部、３３１  情報記憶部。
【図１】
0005811722.tif 000002
【図２】
0005811722.tif 000003
【図３】
0005811722.tif 000004
【図４】
0005811722.tif 000005
【図５】
0005811722.tif 000006
【図６】
0005811722.tif 000007
【図７】
0005811722.tif 000008
【図８】
0005811722.tif 000009
【図９】
0005811722.tif 000010
【図１０】
0005811722.tif 000011
【図１１】
0005811722.tif 000012
【図１２】
0005811722.tif 000013
【図１３】
0005811722.tif 000014
【図１４】
0005811722.tif 000015
【図１５】
0005811722.tif 000016
【図１６】
0005811722.tif 000017